(57)【要約】【課題】外光の検出が可能でありながら、筐体の防水性を向上できる照明装置を提供する。【解決手段】照明装置10は、筐体11、ブッシング14、光源18、照度センサ30および電源部19を備える。筐体11は、配線孔47を有する。ブッシング14は、筐体11の配線孔47に取り付けられ、給電用の電線58が挿通されるとともに、外光を筐体11内に採光可能とする。光源18は、筐体11に配置される。照度センサ30は、筐体11内に配置され、ブッシング14を通じて筐体11内に採光される外光を検出する。電源部19は、筐体11内に配置され、電線58が接続され、照度センサ30による外光の検出に基づいて光源18に電源を供給する。【選択図】図１
2020167126.tif 000002
【特許請求の範囲】
【請求項１】
配線孔を有する筐体と；
前記筐体の前記配線孔に取り付けられ、給電用の電線が挿通されるとともに、外光を前記筐体内に採光可能とするブッシングと；
前記筐体に配置される光源と；
前記筐体内に配置され、前記ブッシングを通じて前記筐体内に採光される外光を検出する照度センサと；
前記筐体内に配置され、前記電線が接続され、前記照度センサによる外光の検出に基づいて前記光源に電源を供給する電源部と；
を具備することを特徴とする照明装置。
【請求項２】
前記ブッシングは、透光性を有する
ことを特徴とする請求項１記載の照明装置。
【請求項３】
前記筐体は、外側面から突設された一対の取付部を有し、これら一対の取付部間に前記配線孔が配置されている
ことを特徴とする請求項１または２記載の照明装置。
【発明の詳細な説明】
【技術分野】
【０００１】
本発明の実施形態は、外光を検出して点灯、消灯を制御する照明装置に関する。
【背景技術】
【０００２】
従来、例えば防犯灯や道路灯などの照明装置では、外光を検出して光源の点灯、消灯を制御している。
【０００３】
このような照明装置では、筐体の上面に採光孔を設け、この採光孔を透光部材で閉塞し、筐体内に透光部材を透過した光を検出する照度センサを配置している。
【０００４】
筐体には、給電用の電線が配線される配線孔などとともに、採光のための採光孔を設けているが、筐体の防水性を考慮すると、筐体に設けられる孔は少ない方が好ましい。
【先行技術文献】
【特許文献】
【０００５】
【特許文献１】特開２０１６−１７８０１３号公報
【発明の概要】
【発明が解決しようとする課題】
【０００６】
本発明は、外光の検出が可能でありながら、筐体の防水性を向上できる照明装置を提供することである。
【課題を解決するための手段】
【０００７】
実施形態の照明装置は、筐体、ブッシング、光源、照度センサおよび電源部を備える。筐体は、配線孔を有する。ブッシングは、筐体の配線孔に取り付けられ、給電用の電線が挿通されるとともに、外光を筐体内に採光可能とする。光源は、筐体に配置される。照度センサは、筐体内に配置され、ブッシングを通じて筐体内に採光される外光を検出する。電源部は、筐体内に配置され、電線が接続され、照度センサによる外光の検出に基づいて光源に電源を供給する。
【発明の効果】
【０００８】
実施形態の照明装置によれば、外光の検出が可能でありながら、筐体の防水性が向上するが期待できる。
【図面の簡単な説明】
【０００９】
【図１】第１の実施形態を示す照明装置の断面図である。
【図２】同上照明装置の分解状態の斜視図である。
【図３】同上照明装置の斜視図である。
【図４】同上照明装置のブッシングの斜視図である。
【図５】第２の実施形態を示す照明装置の断面図である。
【図６】第３の実施形態を示す照明装置の断面図である。
【発明を実施するための形態】
【００１０】
以下、第１の実施形態を、図１ないし図４を参照して説明する。
【００１１】
図１ないし図３に示すように、照明装置10は、例えば電柱やポールなどに設置される防犯灯や街路灯である。
【００１２】
照明装置10は、筐体11、この筐体11に組み込まれる光源ユニット12およびブッシング14、筐体11の前面側である下面側に取り付けられる透光カバー15、光源ユニット12と透光カバー15との間に配置される延焼防止シート16などを備えている。
【００１３】
まず、光源ユニット12について説明する。光源ユニット12は、光源18およびこの光源18に電源を供給する電源回路である電源部19を一体的に備えている。光源ユニット12は、基板20、この基板20にそれぞれ実装された光源18である複数の発光素子（半導体発光素子）21および電源部19の電源部品22を備えている。
【００１４】
基板20は、金属をベースとするかあるいは絶縁材料で形成され、基板20の一面の前面側である下面側に配線パターンが形成されている。基板20は、略長方形に形成され、長手方向の一端側に発光素子実装領域23aが形成され、他端側に電源回路実装領域23bが形成されている。
【００１５】
発光素子実装領域23aの略中央の１個所、および電源回路実装領域23bの幅方向一側の１箇所には、基板20を筐体11にねじ25で締め付け固定するための取付孔26が形成されている。電源回路実装領域23bの幅方向他側の１箇所には、位置決め孔27が形成されている。発光素子実装領域23aの幅方向中央で取付孔26よりも一端側に、挿通孔28が形成されている。
【００１６】
発光素子21は、例えばＳＭＤ（Surface Mount Device）パッケージのＬＥＤが用いられている。複数の発光素子21は、基板20の下面側で発光素子実装領域23aに実装され、配線パターンに接続されている。本実施形態では、複数の発光素子21は、基板20の幅方向に２列で、基板20の長手方向に沿って所定の間隔をあけて配列されている。なお、発光素子21は、ＬＥＤの場合にはＣＯＢ（Chip On Board）モジュールを用いてもよく、また、有機ＥＬ（Electro Luminescence）素子などを用いてもよい。
【００１７】
電源部19は筐体11内に位置されている。電源部19の電源部品22は、基板20の電源回路実装領域23bに実装されている。電源部品22のうち、リード線を有するリード部品は基板20の他面の背面側である上面側に配置されるとともにリード線が基板20の下面側に挿通して配線パターンに接続され、チップ部品や高さの低い面実装部品は基板20の下面側に配置されて配線パターンに接続されている。
【００１８】
電源部品22には、基板20の背面側に実装されていて照明装置10の周囲の明るさを検出するための照度センサ30が含まれている。照度センサ30は、基板20の発光素子21が実装される一端側とは反対の他端側の端部に実装されている。照度センサ30は、上面に検出窓が開口されたケース30a、このケース30a内に検出窓に対向して配置されたセンサ素子30bを有し、センサ素子30bの検出軸が基板20の背面側に対して垂直方向に向けられている。
【００１９】
そして、照度センサ30は、基板20上で、筐体11の配線孔47に取り付けられたブッシング14に対向する最も近い位置に配置されている。さらに、照度センサ30は、基板20上で、センサ素子30bの検出軸がブッシング14に向けて一致するように配置されている。
【００２０】
そして、電源部19は、外部から供給される外部電源である交流電源を所定の点灯電源である直流電源に変換し、この直流電源を発光素子21に供給して発光素子21を発光させるものであり、さらに、照度センサ30によって検出される明るさが所定の点灯用閾値よりも低い場合に発光素子21を点灯させ、所定の消灯用閾値よりも高い場合に発光素子21を消灯させるように、発光素子21の点灯および消灯を自動的に制御する。
【００２１】
また、筐体11は、例えばアルミニウムなどの金属製で、基端側から反対の先端側にかけての長手方向に長い形状に形成されている。筐体11は、上面部32および周囲の側面部33を有し、内部に空間部34が形成されているとともに前面側である下面に開口部35が形成されている。筐体11の基端側には、例えば電柱やポールなどに取り付けられる一対の取付部36が一体に突設されている。
【００２２】
筐体11の下面周辺部には環状の凹溝37が形成され、この凹溝37に筐体11と透光カバー15との間の防水性を確保するための環状のパッキング38が配置されている。さらに、筐体11の先端側の幅方向中央の１箇所、および基端側の幅方向一側の１箇所に基板20をねじ25で締め付け固定するためのねじ孔を有するボス39a，39bがそれぞれ突設され、基端側の幅方向他側の１箇所に基板20の位置決め孔27が嵌り込む位置決め突起40aを有するボス40が突設されている。さらに、筐体11の先端側の幅方向中央の１箇所、および基端側の幅方向両側の２箇所に、透光カバー15をねじ41で締め付け固定するためのねじ孔を有するボス42a，42bがそれぞれ形成されている。ボス42aは、基板20の挿通孔28を挿通される。
【００２３】
筐体11の内部には、筐体11の先端側と基端側との中間位置であって、基板20の発光素子実装領域23aと電源回路実装領域23bとの間に対応した位置に、空間部34内に突出する仕切部43が形成されている。仕切部43は、筐体11内の幅方向に沿って壁状に形成されており、筐体11内の空間部34を先端側の発光素子側空間部34aと基端側の電源回路側空間部34bとに仕切っている。
【００２４】
筐体11の内部には、筐体11の長手方向に沿って発光素子側空間部34aに突出する複数の壁部44，45が形成されている。本実施形態では、幅方向両側の壁部44と中央の壁部45とを備えている。両側の壁部44は、基板20に２列に実装された発光素子21にそれぞれ対応した位置に沿って形成されており、また、中央の壁部45は、基板20の取付孔26に対応した位置であってボス39a，42aに対応した位置に形成されている。両側の壁部44には、基板20に実装された各発光素子21の位置に対応して基板20に接触する複数の接触部44aが形成されている。接触部44aは、壁部44の厚みより大きい直径を有する円柱状に形成されている。中央の壁部45には、ボス39a，42aがそれぞれ一体に形成されている。
【００２５】
筐体11の内部には、仕切部43および壁部44，45が一体に形成されている。筐体11の開口部35の内側に位置するボス39a，39b，40、仕切部43および壁部44，45等の下面は、同一平面に形成され、基板20の上面が接触して取り付けられる基板取付部46として構成されている。
【００２６】
筐体11の基端側の側面部33で一対の取付部36の間には、配線孔47および通気孔48が形成されている。配線孔47の外面側には、配線孔47の周囲を囲むように突部47aが形成されている。通気孔48は、気体の通過を可能とするとともに液体の通過を不可とする内圧調整フィルタ48aによって閉塞されている。なお、通気孔48は、筐体11内の気密性が高い場合に設けることが好ましいが、筐体11内の気密性が低い場合などは設けなくてもよい。
【００２７】
また、図１、図２および図４にブッシング14を示す。ブッシング14は、例えばシリコーン樹脂やポリウレタンゴムなど、絶縁性および弾性を有し、さらに、透明、あるいは白色を含む半透明で光透過性を有する材料で形成されている。
【００２８】
ブッシング14には、外部から電源部19に交流電力を供給する給電用の一対の電線58が挿通する一対の電線挿通孔59が形成されている。ブッシング14の外面側には円筒部60が形成され、この円筒部60の外周に配線孔47の周縁部が嵌り込む溝部61が形成されている。筐体11の外面に対向する溝部61の内面の外周部には溝部61内に突出する鍔部62が形成されている。
【００２９】
図１に示すように、ブッシング14が筐体11の配線孔47に取り付けられた状態では、鍔部62が筐体11の外面に接触するように構成されている。そして、筐体11の配線孔47に取り付けられたブッシング14は、ブッシング14自体の光透過性によって、外光を筐体11内に採光可能としている。
【００３０】
また、図１ないし図３に示すように、透光カバー15は、透光性を有する例えば合成樹脂やガラスによって形成されている。透光カバー15の周辺部には、筐体11の凹溝37に侵入してパッキング38に当接する環状の当接部65が突設されている。透光カバー15の先端側の幅方向中央の１箇所、および基端側の幅方向両側の２箇所に、透光カバー15を筐体11に固定するためのねじ41が挿通する取付孔66a，66bが形成されている。
【００３１】
透光カバー15には、基板20の発光素子実装領域23aを覆う発光素子側カバー部67a、および電源回路実装領域23bを覆う電源回路側カバー部67bが形成されている。
【００３２】
発光素子側カバー部67aは、平板状に形成され、基板20の下面に接触される。発光素子側カバー部67aには、基板20の各発光素子21の位置に対応しレンズ部68が形成されているとともに、基板20を筐体11に固定しているねじ25の位置に対応して突出部69が形成されている。レンズ部68は、上面側が発光素子21を配置する凹面に形成され、下面側が発光素子側カバー部67aから突出する凸面に形成されており、発光素子21からの光を所定の配光に制御する。突出部69は、複数のレンズ部68の内側間に位置し、ねじ25との干渉を防止するように発光素子側カバー部67aの下方に半球状に突設されている。レンズ部68と突出部69とでは、発光素子側カバー部67aに対してレンズ部68よりも突出部69の方が下方に突出されている（図１の２点鎖線参照）。
【００３３】
電源回路側カバー部67bには、基板20の電源回路22や基板20を筐体11に固定しているねじ25との干渉を防止するために、基板20との間に所定の間隙が形成されているように下方へ突出する突出部70が形成されている。突出部70は、電源回路側カバー部67bの略全域に形成されており、筐体11の下面や基板20に平行な平面部71を有している。突出部70は、筐体11の下面に対してレンズ部68よりも下方へ突出されているとともに、その突出量が突出部69の突出量と同じとされている（図１の２点鎖線参照）。さらに、突出部70の幅方向の両側には、基板20を筐体11に押し付ける複数の押付部72が形成されている。
【００３４】
また、延焼防止シート16は、透光カバー15の電源回路側カバー部67bの内面に沿って配置され、基板20の電源回路実装領域23bに実装された電源回路22と透光カバー15の電源回路側カバー部67bとの間を隔離する。延焼防止シート16は、例えばノーメックス（商標名）紙のタイプ４１０等が用いられる。
【００３５】
そして、このように構成された照明装置10は、取付部36および別途用いられる取付金具によって例えば道路の脇に設置された電柱やポールなどに設置される。その際、筐体11のブッシング14を挿通する電線58によって電源部19は外部電源である交流電源と接続され、筐体11はアース接続される。照明装置10の設置状態では、筐体11の先端側が斜め上方に向けて傾斜し、光源ユニット12および透光カバー15などが道路の中心側に対向される。
【００３６】
照明装置10は、筐体11の配線孔47に取り付けられている透明または半透明のブッシング14から筐体11内に外光が採光される。筐体11内に採光された外光が照度センサ30に入射し、照度センサ30が明るさを検出する。
【００３７】
照度センサ30は、基板20上で、筐体11の配線孔47に取り付けられたブッシング14に対向する最も近い位置に配置されているため、ブッシング14から筐体11内に採光された外光の検出感度を向上できる。
【００３８】
さらに、照度センサ30は、基板20上で、センサ素子30bの検出軸がブッシング14に向けて一致するように配置されているため、ブッシング14から筐体11内に採光された外光の検出感度を向上できる。
【００３９】
このように、照度センサ30は、基板20上に実装されている場合でも、ブッシング14から筐体11内に採光された外光の検出感度が高く、照明装置10の周囲の明るさを確実に検出できる。
【００４０】
そして、電源部19は、発光素子21の消灯状態において、照度センサ30で検出する明るさが所定の点灯用閾値よりも低くなることにより、交流電源を所定の直流電源に変換して発光素子21に供給し、発光素子21を点灯させる。
【００４１】
一方、電源部19は、発光素子21の点灯状態において、照度センサ30で検出する明るさが所定の消灯用閾値よりも高くなることにより、発光素子21への直流電力の供給を停止し、発光素子21を消灯させる。
【００４２】
また、筐体11の側面部33に配線孔47を設け、この配線孔47にブッシング14を取り付けているため、ブッシング14が確実に機能し、浸水を防止できる。
【００４３】
筐体11の配線孔47の外面側に、配線孔47の周囲を囲むように突部47aを設けているため、筐体11の外面を伝わって流れる雨水が配線孔47に流れ込まないように突部47aで遮ることができ、防水性を向上できる。
【００４４】
筐体11の配線孔47を閉塞するブッシング14に、筐体11の外面に接触する鍔部62を設けているため、筐体11の外面を伝わって流れる雨水が配線孔47に流れ込まないように鍔部62で遮ることができ、防水性を向上できる。
【００４５】
そして、このように構成された照明装置10では、筐体11の配線孔47に取り付けられるブッシング14から筐体11内に外光を採光し、その筐体11内に採光される外光を照度センサ30で検出するため、筐体11に別の採光孔を設ける必要がなく、外光の検出が可能でありながら、筐体11の防水性を向上できる。
【００４６】
また、ブッシング14が、透光性を有するため、配線孔47および電線58の防水性を確保しながら、筐体11内に外光を採光することができる。
【００４７】
また、筐体11から突設された一対の取付部36間に配線孔47が配置されているため、配線孔47に取り付けられるブッシング14を一対の取付部36によって外部から保護できる。
【００４８】
次に、図５に第２の実施形態を示す。
【００４９】
照度センサ30は、センサ素子30bがブッシング14に対向するように、ブッシング14側に設けられている。この場合、照度センサ30は、ブッシング14と一体的に設けられていてもよいし、基板20に対して支持部材によって支持されていてもよい。
【００５０】
そして、この場合、照度センサ30は、ブッシング14に近いため、ブッシング14から採光される外光が効率的に入射し、外光の検出感度を向上できる。
【００５１】
次に、図６に第３の実施形態を示す。
【００５２】
照度センサ30は基板20上に配置され、この照度センサ30とブッシング14との間に導光体75が配置される。
【００５３】
そして、ブッシング14から採光される外光は、導光体75に入射し、導光体75内を導光されて照度センサ30に入射される。そのため、照度センサ30は、基板20上に配置されているが、導光体75によってブッシング14から採光される外光が効率的に入射し、外光の検出感度を向上できる。
【００５４】
なお、導光体75は、柱状に構成され、その一端がブッシング14に挿通配置されていてもよい。この場合も、ブッシング14から筐体11内に外光を採光可能とすることに含まれる。
【００５５】
また、筐体11に通気孔48が設けられる場合、この通気孔48を覆う内圧調整フィルタ48aが外光を筐体11内に採光可能としてもよい。内圧調整フィルタ48aは、光透過性を有する白色のものを用いればよい。
【００５６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５７】
10    照明装置
11    筐体
14    ブッシング
18    光源
19    電源部
30    照度センサ
36    取付部
47    配線孔
58    電線
【図１】
2020167126.tif 000003
【図２】
2020167126.tif 000004
【図３】
2020167126.tif 000005
【図４】
2020167126.tif 000006
【図５】
2020167126.tif 000007
【図６】
2020167126.tif 000008